(57)【要約】【課題】  簡易な操作で、被装着部に対し確実に装着し得るポータブル型電子機器及びその装着装置を実現する。【解決手段】  電子機器本体２を装着装置１１を介して被装着部に装着するようにしたポータブル型電子機器１０において、直線状態と、その全長に渡って巻込むような付勢力を発生する巻回状態とを有し、当該巻回状態において被装着部を巻回してポータブル型電子機器１０を当該被装着部に仮固定する仮固定ベルト４と、被装着部を巻回して仮固定した状態の仮固定ベルト４に対し、被装着部及び仮固定ベルト４を巻回するように係合してポータブル型電子機器１０を当該被装着部に本固定する補助ベルト１２と、補助ベルト１２の全長を可変して被装着部に対する装着装置１１の装着力を調整する調整手段１８とを装着装置１１に設けた。【選択図】        図２
2007061501.tif 000002
【特許請求の範囲】
【請求項１】
電子機器本体を装着装置を介して被装着部に装着するようにしたポータブル型電子機器において、
上記装着装置は、
直線状態と、その全長に渡って巻込むような付勢力を発生する巻回状態とを有し、当該巻回状態において上記被装着部を巻回して上記ポータブル型電子機器を当該被装着部に仮固定する仮固定ベルトと、
上記被装着部を巻回して仮固定した状態の上記仮固定ベルトに対し、上記被装着部及び上記仮固定ベルトを巻回するように係合して、上記ポータブル型電子機器を当該被装着部に本固定する補助ベルトと、
上記補助ベルトの全長を可変して、上記被装着部に対する上記装着装置の装着力を調整する調整手段と
を具えることを特徴とするポータブル型電子機器。
【請求項２】
上記調整手段は、上記補助ベルトの表面に係合する係合手段を有し、当該補助ベルトに対する当該係合手段の係合位置を移動させることにより、当該補助ベルトの全長を可変する
ことを特徴とする請求項１に記載のポータブル型電子機器。
【請求項３】
直線状態と、その全長に渡って巻込むような付勢力を発生する巻回状態とを有し、当該巻回状態において被装着部を巻回して装着対象を当該被装着部に仮固定する仮固定ベルトと、
上記被装着部を巻回して仮固定した状態の上記仮固定ベルトに対し、上記被装着部及び上記仮固定ベルトを巻回するように係合して、上記装着対象を当該被装着部に本固定する補助ベルトと、
上記補助ベルトの全長を可変して、上記被装着部に対する上記装着装置の装着力を調整する調整手段と
を具えることを特徴とする装着装置。
【発明の詳細な説明】
【技術分野】
【０００１】
本発明は、例えば上腕等の被装着部に装着し得るようになされたポータブル型電子機器及びその取付装置に適用して好適なものである。
【背景技術】
【０００２】
ランニング等の運動中にラジオ受信機によってラジオ放送を受信して楽しむ場合には、ポータブル型のラジオ受信機を身体のどこかに装着することが好ましい。そこで、身体の任意の位置、例えば胴や腕等に専用の装着ベルトを介して装着し得るようになされたポータブル型ラジオ受信機が提案されている。（例えば、特許文献１参照）。
【０００３】
図従１はこのようなポータブル型ラジオ受信機１を示し、ラジオ放送の受信機能を備えた本体２と、当該本体２に接続されポータブル型ラジオ受信機１全体をユーザの腕等の被装着部に取り付けるための装着ベルト部３とを有している。
【０００４】
この装着ベルト部３は、ポータブル型ラジオ受信機１をユーザの被装着部に仮固定するための仮固定ベルト４と、当該仮固定ベルト４と係合してポータブル型ラジオ受信機１を被装着部に確実に固定（本固定）するための補助ベルト５とで構成される。
【０００５】
図従２に示すように仮固定ベルト４は、例えばステンレス製でなる帯状の板ばね５を布製のカバー６で覆った構造を有している。この板ばね５の長手方向には、図従１に示す矢印Ａ方向に曲げぐせが付けられているとともに、その幅方向断面は図従３に示すように円弧状に湾曲して形成されている。
【０００６】
このため、仮固定ベルト４を直線状に延ばすと、板ばね５の断面の湾曲によって生じる長手方向の剛性が当該板ばね５の曲げぐせに抗し、これにより仮固定ベルト４全体は直線状に維持される。
【０００７】
そして、直線状に延びている仮固定ベルト４を被保持部に接触させると、当該接触部分近傍における板ばね５の湾曲が弱まってその剛性が低下し、この部分をきっかけとして仮固定ベルト４の直線状態が解除され、その曲げぐせに従って被保持部に巻き付くように丸まり、かくして仮固定ベルト４はポータブル型ラジオ受信機１を被装着部に仮固定する。
【０００８】
一方補助ベルト５は、伸縮性を有するゴムベルトを柔らかい布で覆って形成されており、その先端内側には、フック側のマジックファスナ（以下、単にマジックファスナと呼ぶ）８が取り付けられている。また、仮固定ベルト４のカバー６の表面にはマジックファスナ用のループが形成されており、これにより、補助ベルト５のマジックファスナ８は仮固定ベルト４のカバー６に対し任意の位置で係合することができる。
【０００９】
このため、仮固定ベルト４によってポータブル型ラジオ受信機１を被装着部に仮固定した状態において、補助ベルト５を引き延ばしながら仮固定ベルト４の外側に巻付け、マジックファスナ８で固定することにより、当該補助ベルト５の収縮力によってポータブル型ラジオ受信機１を被装着部に固定し得るようになされている。そして、このポータブル型ラジオ受信機１では、上述した装着操作を片手操作のみによって行うことができる。
【特許文献１】特許第３２６３７４０号公報
【発明の開示】
【発明が解決しようとする課題】
【００１０】
ところが上述した構成のポータブル型ラジオ受信機１では、補助ベルト５を引き延ばしながら仮固定ベルト４に巻付ける際、仮固定状態にあるポータブル型ラジオ受信機１全体が被装着部の周りを回転してしまい、これによりポータブル型ラジオ受信機１を被装着部に対して確実に取り付け得ないことがあるという問題があった。
【００１１】
本発明は以上の点を考慮してなされたもので、簡易な操作で、被装着部に対し確実に装着し得るようになされたポータブル型電子機器及びその装着装置を提案しようとするものである。
【課題を解決するための手段】
【００１２】
かかる課題を解決するため本発明においては、電子機器本体を装着装置を介して被装着部に装着するようにしたポータブル型電子機器において、直線状態と、その全長に渡って巻込むような付勢力を発生する巻回状態とを有し、当該巻回状態において被装着部を巻回してポータブル型電子機器を当該被装着部に仮固定する仮固定ベルトと、被装着部を巻回して仮固定した状態の仮固定ベルトに対し、被装着部及び仮固定ベルトを巻回するように係合してポータブル型電子機器を当該被装着部に本固定する補助ベルトと、補助ベルトの全長を可変して被装着部に対する装着装置の装着力を調整する調整手段とを装着装置に設けた。
【００１３】
仮固定状態にある仮固定ベルトに対して補助ベルトを係合してポータブル型電子機器を本固定した後、調整手段によって当該補助ベルトの全長を可変して被装着部に対する装着力を調整するようにしたことにより、簡易な操作で、ポータブル型電子機器を被装着部に対して確実に装着することができる。
【発明の効果】
【００１４】
本発明によれば、仮固定状態にある仮固定ベルトに対して補助ベルトを係合してポータブル型電子機器を本固定した後、調整手段によって当該補助ベルトの全長を可変して被装着部に対する装着力を調整するようにしたことにより、簡易な操作で、被装着部に対して確実に装着し得るポータブル型電子機器を実現することができる。
【発明を実施するための最良の形態】
【００１５】
以下図面について、本発明の一実施の形態を詳述する。
【００１６】
（１）ポータブル型ラジオ受信機の全体構成
図従１との対応部分に同一符号を付して示す図１において、１０は全体として本発明の一実施の形態によるポータブル型ラジオ受信機を示し、装着ベルト部１１における補助ベルト１２の構成が異なる以外は、図従１に示したポータブル型ラジオ受信機１と同様の構成を有している。
【００１７】
すなわちポータブル型ラジオ受信機１０は、ラジオ放送の受信機能を備えた本体２と、当該本体２に接続されポータブル型ラジオ受信機１０全体をユーザの腕等の被装着部に装着するための装着ベルト部１１とで構成され、装着装置としての装着ベルト部１１は、ポータブル型ラジオ受信機１０を被装着部に仮固定するための仮固定ベルト４と、当該仮固定ベルト４と係合してポータブル型ラジオ受信機１０を被装着部に本固定するための補助ベルト１２とで構成される。また、本体２と装着ベルト部１１とは着脱できるようになされており、これにより、ラジオ放送を受信しない時は装着ベルト部１１を腕等の被装着部に取り付けたまま本体２を取り外して収納したり、装着ベルト部１１が汚れた際には当該装着ベルト部１１を取りはずして洗浄することができる。
【００１８】
仮固定ベルト４は、幅方向断面が円弧状に湾曲しているとともに矢印Ａ方向に曲げぐせが付けられた板ばねを布製のカバーで覆って形成される。ている。また、当該カバーの表面にはマジックファスナ用のループが形成されている。
【００１９】
そして、当該仮固定ベルト４を直線状に延ばした状態においては、湾曲した板ばねの長手方向の剛性がその曲げぐせ（弾性力）に抗して、仮固定ベルト４全体は直線状に維持される。また、直線状に延びた状態の仮固定ベルト４を被装着部に接触させると、接触部分近傍における板ばね５の湾曲が弱まって剛性が低下し、これにより仮固定ベルト４全体の直線状態が解除され、その全長に渡って巻き込むような付勢力を発生する。なお、図２に示すように仮固定ベルト４は、本体２を取付ベルト部１１に対して着脱自在に取り付けるための連結部材１３に対し、押え板１４及び２本のビス１５によって固定されている。
【００２０】
一方補助ベルト１２は、伸縮性を有するゴムベルトを柔らかい布で覆って形成されており、その先端（これを固定端１２Ａと呼ぶ）内側に固定用マジックファスナ１７が取り付けられているとともに、その反対側端部（これを調整端１２Ｂと呼ぶ）には、調整手段としての調整用マジックファスナ１８が取り付けられている。また、補助ベルト１２の表面にはマジックファスナ用のループが形成されている。
【００２１】
そして、補助ベルト１２の調整端１２Ｂを連結部材１３の通し穴１６に挿通して折り返し、調整用マジックファスナ１８を補助ベルト１２の表面に係合させることにより、補助ベルト１２と連結部材１３とが結合されている。
【００２２】
（２）ポータブル型ラジオ受信機の装着手順
次に、本発明のポータブル型ラジオ受信機１０をユーザの被装着部に装着する際の手順を、図を用いて詳細に説明する。
【００２３】
まず図３に示すように、仮固定ベルト４と補助ベルト１２との係合を外すとともに仮固定ベルト４を直線状に延ばした後、仮固定ベルト４の根本付近を所望の被装着部２０に軽く打ち付ける。すると仮固定ベルト４の直線状態が解除され、図４に示すように、仮固定ベルト４が自身の弾性力によって被装着部２０に巻き付くようにして丸まり、かくして仮固定ベルト４はポータブル型ラジオ受信機１を被装着部２０に仮固定する。
【００２４】
この仮固定状態において、図５に示すように、補助ベルト１２を仮固定ベルト４の外側に巻付けて、補助ベルト１２先端（固定端）の固定用マジックファスナ１７と仮固定ベルト４とを係合させることにより、被装着部２０を装着ベルト部１１全体で取り巻き、かくしてポータブル型ラジオ受信機１０を当該被装着部２０に装着（本固定）する。
【００２５】
これに加えてポータブル型ラジオ受信機１０では、この本固定状態からさらに、調整端１２Ｂの調整用マジックファスナ１８を補助ベルト１２の表面から剥がした後、当該調整端１２Ｂを引っ張りながら、調整用マジックファスナ１８を補助ベルト１２の表面に再係合させることにより、被装着部２０に対する装着ベルト部１１の装着感覚（いわゆるフィット感）を微調整し得るようになされている。
【００２６】
（３）動作及び効果
以上の構成において、このポータブル型ラジオ受信機１０は、自身の弾性力で被装着部２０に巻き付くようになされた仮固定ベルト４によって、当該ポータブル型ラジオ受信機１０を被装着部２０に仮固定した後、補助ベルト１２を仮固定ベルト４の外側に巻付けることにより、当該補助ベルト１２及び仮固定ベルト４によって被装着部２０を巻回してポータブル型ラジオ受信機１０を当該被装着部２０に本固定することができる。
【００２７】
さらに、ポータブル型ラジオ受信機１０は本固定の後、調整端１２Ｂの調整用マジックファスナ１８を補助ベルト１２の表面から一旦剥がした後、当該調整端１２Ｂを引っ張りながら調整用マジックファスナ１８を補助ベルト１２の表面に再係合させることにより、補助ベルト１２の全長を可変してその張力を調整し、被装着部２０に対する装着ベルト部１１のフィット感を適切に調整することができる。
【００２８】
これに加えてポータブル型ラジオ受信機１０は、本固定の後に調整端１２Ｂを移動してフィット感を調整できることから、本固定の時点では低い張力で補助ベルト１２を係合すればよく、これにより、本固定の際に補助ベルト１２を引っ張ることでポータブル型ラジオ受信機１０が被装着部２０の周りを回転してしまうことを防止することができる。
【００２９】
（４）他の実施の形態
なお、上述の実施の形態においては、本発明をユーザの身体に装着するようになされたポータブル型のラジオ受信機に適用した場合について述べたが、本発明はこれに限らず、ポータブル型のオーディオプレーヤーや携帯電話機等、種々の電子機器に本発明を適用することができ、さらには、電子機器等の種々の装着対象を被装着部に装着するための装着装置に本発明を適用することもできる。
【産業上の利用可能性】
【００３０】
本発明は、ポータブル型の電子機器に適用できる。
【図面の簡単な説明】
【００３１】
【図１】ポータブル型ラジオ受信機の全体構成を示す斜視図である。
【図２】装着ベルト部の構成を示す略線図である。
【図３】ポータブル型ラジオ受信機の装着手順を示す略線図である。
【図４】ポータブル型ラジオ受信機の装着手順を示す略線図である。
【図５】ポータブル型ラジオ受信機の装着手順を示す略線図である。
【図６】ポータブル型ラジオ受信機の装着手順を示す略線図である。
【図７】従来のポータブル型ラジオ受信機の全体構成を示す斜視図である。
【図８】仮固定ベルトの構成を示す斜視図である。
【図９】仮固定ベルトの構成を示す略線図である。
【符号の説明】
【００３２】
１、１０……ポータブル型ラジオ受信機、２……本体、３、１１……装着ベルト部、４……仮固定ベルト、５、１２……補助ベルト、６……板ばね、７……カバー、８……マジックファスナ、１７……固定用マジックファスナ、１８……調整用マジックファスナ。
【図１】
2007061501.tif 000003
【図２】
2007061501.tif 000004
【図３】
2007061501.tif 000005
【図４】
2007061501.tif 000006
【図５】
2007061501.tif 000007
【図６】
2007061501.tif 000008
【図７】
2007061501.tif 000009
【図８】
2007061501.tif 000010
【図９】
2007061501.tif 000011